(57)【要約】【課題】ユーザが電気機器の電源の状態を確認できない場合でも当該電気機器の電源を適切に切り替える。【解決手段】スイッチ制御装置１０は、共通の電気機器３０の電源のオンオフを切り替える電子スイッチ２１，手動スイッチ２２を相互に接続する、第１電線Ｗ１の電圧を測定する第１測定部１４、第２電線Ｗ２の電圧を測定する第２測定部１５、操作機器５０から電源をオンに切り替えるオン命令、または、オフに切り替えるオフ命令を受信した場合に、第１電線Ｗ１および第２電線Ｗ２の電圧の何れかが電源電圧を表すか、第１電線Ｗ１および第２電線Ｗ２の電圧の両方が接地電圧を表すかを判別し、当該判別結果に基づいて、電子スイッチ２１を切り替えるか否かの制御を行う制御部１１を備える。【選択図】図１
2014227162.tif 000002
【特許請求の範囲】
【請求項１】
共通の電気機器の電源のオンオフを個別に切り替える電子スイッチおよび１以上の手動スイッチのうち、一対のスイッチを相互に接続する第１電線の電圧を測定する第１測定手段と、
前記一対のスイッチを相互に接続する第２電線の電圧を測定する第２測定手段と、
外部操作機器から前記電源をオンに切り替えるオン命令または前記電源をオフに切り替えるオフ命令を受信した場合に、前記第１電線および前記第２電線の電圧の何れかが電源電圧を表すか、前記第１電線および前記第２電線の電圧の両方が接地電圧を表すかを判別し、当該判別結果に基づいて、前記電子スイッチを切り替えるか否かの制御を行う制御手段と、を備える、
ことを特徴とするスイッチ制御装置。
【請求項２】
前記制御手段は、前記外部操作機器から前記オン命令を受信した場合に、前記第１電線および前記第２電線の電圧の何れかが電源電圧を表すときに前記電子スイッチを切り替える制御を行い、前記第１電線および前記第２電線の電圧の両方が接地電圧を表すときに前記制御を行わない、
ことを特徴とする請求項１に記載のスイッチ制御装置。
【請求項３】
前記制御手段は、前記外部操作機器から前記オフ命令を受信した場合に、前記第１電線および前記第２電線の電圧の両方が接地電圧を表すときに前記電子スイッチを切り替える制御を行い、前記第１電線および前記第２電線の電圧の何れかが電源電圧を表すときに前記制御を行わない、
ことを特徴とする請求項１または２に記載のスイッチ制御装置。
【請求項４】
相互に接続される前記一対のスイッチは、一方が前記電子スイッチ、他方が前記手動スイッチであり、
前記第１測定手段は、前記電子スイッチと前記手動スイッチとを接続する第１電線の電圧を測定し、
前記第２測定手段は、前記電子スイッチと前記手動スイッチとを接続する第２電線の電圧を測定する、
ことを特徴とする請求項１乃至３の何れか１項に記載のスイッチ制御装置。
【請求項５】
相互に接続される前記一対のスイッチは、両方が前記手動スイッチであり、
前記第１測定手段は、一対の前記手動スイッチを相互に接続する第１電線の電圧を測定し、
前記第２測定手段は、前記一対の手動スイッチを相互に接続する第２電線の電圧を測定する、
ことを特徴とする請求項１乃至３の何れか１項に記載のスイッチ制御装置。
【請求項６】
スイッチ制御装置と、電気機器の電源をオンに切り替えるオン命令または前記電源をオフに切り替えるオフ命令を前記スイッチ制御装置に送信する外部操作機器とを備えた電気機器制御システムであって、
前記スイッチ制御装置は、
共通の電気機器の電源のオンオフを個別に切り替える電子スイッチおよび１以上の手動スイッチのうち、一対のスイッチを相互に接続する第１電線の電圧を測定する第１測定手段と、
前記一対のスイッチを相互に接続する第２電線の電圧を測定する第２測定手段と、
前記外部操作機器から前記オン命令または前記オフ命令を受信した場合に、前記第１電線および前記第２電線の電圧の何れかが電源電圧を表すか、前記第１電線および前記第２電線の電圧の両方が接地電圧を表すかを判別し、当該判別結果に基づいて、前記電子スイッチを切り替えるか否かの制御を行う制御手段と、を備える、
ことを特徴とするスイッチ制御システム。
【請求項７】
共通の電気機器の電源のオンオフを個別に切り替える電子スイッチおよび１以上の手動スイッチのうち、一対のスイッチを相互に接続する第１電線の電圧を測定する第１測定ステップと、
前記一対のスイッチを相互に接続する第２電線の電圧を測定する第２測定ステップと、
外部操作機器から前記電源をオンに切り替えるオン命令または前記電源をオフに切り替えるオフ命令を受信した場合に、前記第１電線および前記第２電線の電圧の何れかが電源電圧を表すか、前記第１電線および前記第２電線の電圧の両方が接地電圧を表すかを判別し、当該判別結果に基づいて、前記電子スイッチを切り替えるか否かの制御を行う制御ステップと、を有する、
ことを特徴とするスイッチ制御方法。
【請求項８】
コンピュータを、
共通の電気機器の電源のオンオフを個別に切り替える電子スイッチおよび１以上の手動スイッチのうち、一対のスイッチを相互に接続する第１電線の電圧を測定する第１測定手段、
前記一対のスイッチを相互に接続する第２電線の電圧を測定する第２測定手段、
外部操作機器から前記電源をオンに切り替えるオン命令または前記電源をオフに切り替えるオフ命令を受信した場合に、前記第１電線および前記第２電線の電圧の何れかが電源電圧を表すか、前記第１電線および前記第２電線の電圧の両方が接地電圧を表すかを判別し、当該判別結果に基づいて、前記電子スイッチを切り替えるか否かの制御を行う制御手段、として機能させる、
ことを特徴とするプログラム。
【発明の詳細な説明】
【技術分野】
【０００１】
本発明は、スイッチ制御装置、スイッチ制御システム、スイッチ制御方法、および、プログラムに関する。
【背景技術】
【０００２】
照明機器や空調機器等（以下、電気機器という）の電源回路において、ユーザが直接的に操作する手動スイッチと、外部から供給される制御信号によって動作する電子スイッチとを備え、手動スイッチまたは電子スイッチを個別に切り替えることによって、共通の電気機器の電源のオンオフを切り替える技術が知られている。
【０００３】
この種の技術として、例えば特許文献１および２には、外部操作機器であるリモートコントローラ（以下、リモコンという）から切替命令を受信した場合に電子スイッチを切り替えるスイッチ制御装置が開示されている。リモコンは、ユーザが電気機器の電源を切り替えるか否かを判断した上でユーザによって操作され、ユーザの操作に従ってスイッチ制御装置に切替命令を送信する。
【先行技術文献】
【特許文献】
【０００４】
【特許文献１】特開昭６３−１８４２１８号公報
【特許文献２】特開２００７−１４３０７１号公報
【発明の概要】
【発明が解決しようとする課題】
【０００５】
しかしながら、ユーザが電気機器から離れた場所にいる等、ユーザが電気機器の現在の電源の状態（オンまたはオフ）を確認できない場合には、ユーザは当該電気機器の電源を切り替える必要があるか否かの判断ができない。そのため、ユーザが電気機器の電源の状態を確認できない場合に電気機器の電源の切り替えを適切に行うことができない、という問題があった。
【０００６】
本発明は、このような問題を解決するためのものであり、ユーザが電気機器の電源の状態を確認できない場合でも当該電気機器の電源を適切に切り替えることができる、スイッチ制御装置、スイッチ制御システム、スイッチ制御方法、および、プログラムを提供することを目的とする。
【課題を解決するための手段】
【０００７】
本発明に係るスイッチ制御装置は、
共通の電気機器の電源のオンオフを個別に切り替える電子スイッチおよび１以上の手動スイッチのうち、一対のスイッチを相互に接続する第１電線の電圧を測定する第１測定手段と、
前記一対のスイッチを相互に接続する第２電線の電圧を測定する第２測定手段と、
外部操作機器から前記電源をオンに切り替えるオン命令または前記電源をオフに切り替えるオフ命令を受信した場合に、前記第１電線および前記第２電線の電圧の何れかが電源電圧を表すか、前記第１電線および前記第２電線の電圧の両方が接地電圧を表すかを判別し、当該判別結果に基づいて、前記電子スイッチを切り替えるか否かの制御を行う制御手段と、を備える、
ことを特徴とする。
【発明の効果】
【０００８】
本発明によれば、ユーザが電気機器の電源の状態を確認できない場合でも当該電気機器の電源を適切に切り替えることができる。
【図面の簡単な説明】
【０００９】
【図１】本発明の実施形態に係るスイッチ制御装置の構成を示す図である。
【図２】電子スイッチおよび手動スイッチの切替パターン毎の第１電線の電圧、第２電線の電圧、および電気機器の電源の状態を示す図である。
【図３】図１に示した制御情報の構成を示す図である。
【図４】本発明の実施形態に係るスイッチ制御装置が実行する処理を示すフローチャートである。
【発明を実施するための形態】
【００１０】
以下、本発明の実施の形態について図面を参照して説明する。
【００１１】
はじめに図１を参照して、本発明の実施の形態に係るスイッチ制御システム１の構成を説明する。スイッチ制御システム１は、電気機器３０の電源のオンオフを切り替える電子スイッチ２１を遠隔操作で制御するシステムであり、スイッチ制御装置１０と、操作機器５０とを備える。以下の説明では、電気機器３０が照明機器である場合の例を説明する。なお、電気機器３０は、空調機器やＯＡ（Office Automation）機器等であっても良い。
【００１２】
操作機器５０は、例えば携帯電話やタブレット端末等の通信端末から構成される。ユーザは、操作機器５０を用いて、電気機器３０の電源をオンに切り替えるオン命令、または、電気機器３０の電源をオフに切り替えるオフ命令を送信するための操作を行う。ユーザの操作に従って、操作機器５０は、オン命令またはオフ命令をスイッチ制御装置１０に送信する。これにより、例えばユーザは、電気機器３０から離れた場所にいる場合でも電気機器３０の電源のオンオフを切り替えることができる。なお、操作機器５０は、ユーザの操作に従って予め設定された時刻に、予め設定されたオン命令またはオフ命令をスイッチ制御装置１０に送信しても良い。スイッチ制御装置１０及び操作機器５０は、例えばインターネット、ＬＡＮ（Local Area Network）、ＷＡＮ（Wide Area Network）等から構成されるネットワークＮと有線又は無線にて接続する。
【００１３】
電子スイッチ２１は、商用電源４０を用いた電気機器３０の電源回路において手動スイッチ２２とともに備えられる。電子スイッチ２１および手動スイッチ２２は、それぞれ共通の電気機器３０の電源のオンオフを個別に切り替えるものである。また、電子スイッチ２１および手動スイッチ２２は、第１電線Ｗ１および第２電線Ｗ２によって相互に接続される。
【００１４】
電子スイッチ２１は、例えば、第１切替接点２１ａ、第２切替接点２１ｂおよび共通接点２１ｃからなる３路スイッチを備えたキープリレーから構成される。電子スイッチ２１は、スイッチ制御装置１０から受け取る制御信号に従って、第１切替接点２１ａと共通接点２１ｃとの接続、および、第２切替接点２１ｂと共通接点２１ｃとの接続を交互に切り替える。
【００１５】
手動スイッチ２２は、例えば、第１切替接点２２ａ、第２切替接点２２ｂおよび共通接点２２ｃからなる３路スイッチを備えた壁スイッチから構成される。手動スイッチ２２は、ユーザの直接的な切替操作に従って、第１切替接点２２ａと共通接点２２ｃとの接続、および、第２切替接点２２ｂと共通接点２２ｃとの接続を交互に切り替える。
【００１６】
また、電子スイッチ２１の第１切替接点２１ａは、手動スイッチ２２の第２切替接点２２ｂと第１電線Ｗ１を介して接続される。また、電子スイッチ２１の第２切替接点２１ｂは、手動スイッチ２２の第１切替接点２２ａと第２電線Ｗ２を介して接続される。また、電子スイッチ２１の共通接点２１ｃは、商用電源４０と接続され、手動スイッチ２２の共通接点２２ｃは、電気機器３０と接続される。
【００１７】
スイッチ制御装置１０は、操作機器５０からオン命令またはオフ命令を受信した場合に、電気機器３０の電源の状態を特定し、必要に応じて電子スイッチ２１を切り替える制御を行う。スイッチ制御装置１０は、電気機器３０の電源の状態を、電子スイッチ２１と手動スイッチ２２とを相互に接続する第１電線Ｗ１の電圧Ｖ１および第２電線Ｗ２の電圧Ｖ２を基に特定する。
【００１８】
以下、図２を参照して、電子スイッチ２１および手動スイッチ２２の切り替えパターンと、第１電線Ｗ１の電圧Ｖ１、第２電線Ｗ２の電圧Ｖ２、および電気機器３０の電源の状態との関係について説明する。
【００１９】
（パターン１）
電子スイッチ２１の第１切替接点２１ａ、手動スイッチ２２の第１切替接点２２ａをオン状態（閉状態）にし、電子スイッチ２１の第２切替接点２１ｂ、手動スイッチ２２の第２切替接点２２ｂをオフ状態（開状態）にしている場合、第１電線Ｗ１の電圧Ｖ１はＬｏｗ（接地電圧）、第２電線Ｗ２の電圧Ｖ２はＨｉｇｈ（電源電圧）で表される。また、このとき電気機器３０には電流が流れていないため、電気機器３０は消灯している。
【００２０】
（パターン２）
電子スイッチ２１の第２切替接点２１ｂ、手動スイッチ２２の第２切替接点２２ｂをオン状態にし、電子スイッチ２１の第１切替接点２１ａ、手動スイッチ２２の第１切替接点２２ａをオフ状態にしている場合、第１電線Ｗ１の電圧Ｖ１はＨｉｇｈ、第２電線Ｗ２の電圧Ｖ２はＬｏｗで表される。また、このとき電気機器３０には電流が流れていないため、電気機器３０は消灯している。
【００２１】
（パターン３）
電子スイッチ２１の第２切替接点２１ｂ、手動スイッチ２２の第１切替接点２２ａをオン状態にし、電子スイッチ２１の第１切替接点２１ａ、手動スイッチ２２の第２切替接点２２ｂをオフ状態にしている場合、第１電線Ｗ１および第２電線Ｗ２の電圧Ｖ１，Ｖ２は両方ともＬｏｗで表される。また、このとき電気機器３０には電流が流れるため、電気機器３０は点灯している。
【００２２】
（パターン４）
電子スイッチ２１の第１切替接点２１ａ、手動スイッチ２２の第２切替接点２２ｂをオン状態にし、電子スイッチ２１の第２切替接点２１ｂ、手動スイッチ２２の第１切替接点２２ａをオフ状態にしている場合、第１電線Ｗ１および第２電線Ｗ２の電圧Ｖ１，Ｖ２は両方ともＬｏｗで表される。また、このとき電気機器３０には電流が流れるため、電気機器３０は点灯している。
【００２３】
つまり、第１電線Ｗ１の電圧Ｖ１および第２電線Ｗ２の電圧Ｖ２の一方がＨｉｇｈで表される場合に電気機器３０は消灯していることになる。また、第１電線Ｗ１の電圧Ｖ１および第２電線Ｗ２の電圧Ｖ２の両方がＬｏｗで表される場合に電気機器３０は点灯していることになる。
【００２４】
スイッチ制御装置１０は、第１電線Ｗ１の電圧Ｖ１および第２電線Ｗ２の電圧Ｖ２の一方がＨｉｇｈで表される場合、第１電線Ｗ１の電圧Ｖ１および第２電線Ｗ２の電圧Ｖ２の両方がＬｏｗで表される場合を、電気機器３０が点灯しているか消灯しているかを判別するための基準として設定する。スイッチ制御装置１０は、操作機器５０からオン命令またはオフ命令を受信した場合に、第１電線Ｗ１の電圧Ｖ１および第２電線Ｗ２の電圧Ｖ２を基に、電気機器３０の電源の状態に応じて電子スイッチ２１を切り替える制御を行う。
【００２５】
具体的には、スイッチ制御装置１０は、第１電線Ｗ１の電圧Ｖ１および第２電線Ｗ２の電圧Ｖ２の一方がＨｉｇｈで表されるとき（電気機器３０が消灯しているとき）、操作機器５０からオン命令を受信した場合は電子スイッチ２１を切り替える制御を行うが、操作機器５０からオフ命令を受信した場合は電子スイッチ２１を切り替える制御を行わない。また、スイッチ制御装置１０は、第１電線Ｗ１の電圧Ｖ１および第２電線Ｗ２の電圧Ｖ２の両方がＬｏｗで表されるとき（電気機器３０が点灯しているとき）、操作機器５０からオフ命令を受信した場合は電子スイッチ２１を切り替える制御を行うが、操作機器５０からオン命令を受信した場合は電子スイッチ２１を切り替える制御を行わない。
【００２６】
次にスイッチ制御装置１０が備える構成を説明する。スイッチ制御装置１０は、制御部１１と、記憶部１２と、通信部１３と、第１測定部１４と、第２測定部１５と、電子スイッチ駆動部１６とを備える。
【００２７】
通信部１３は、例えばネットワークアダプタ等の通信インタフェース装置から構成される。通信部１３は、制御部１１の制御のもと、ネットワークＮを介して操作機器５０と通信を行う。通信部１３は、操作機器５０から受信したオン命令またはオフ命令を制御部１１に供給する。
【００２８】
第１測定部１４は、例えばＣＭＯＳ（Complementary Metal Oxide Semiconductor）やＴＴＬ（Transistor-Transistor Logic）等のデジタル回路から構成される。第１測定部１４は、第１電線Ｗ１と接続され、制御部１１の制御のもと第１電線Ｗ１の電圧Ｖ１を測定する。第１測定部１４によって測定された電圧Ｖ１は制御部１１に供給される。
【００２９】
第２測定部１５は、例えばＣＭＯＳやＴＴＬ等のデジタル回路から構成される。第２測定部１５は、第２電線Ｗ２と接続され、制御部１１の制御のもと第２電線Ｗ２の電圧Ｖ２を測定する。第２測定部１５によって測定された電圧Ｖ２は制御部１１に供給される。
【００３０】
電子スイッチ駆動部１６は、例えばリレー駆動回路から構成される。電子スイッチ駆動部１６は、制御部１１の制御のもと、電子スイッチ２１に制御信号を供給する。
【００３１】
記憶部１２は、例えば、ＨＤＤ（Hard disk drive）、ＲＯＭ（Read Only Memory）、フラッシュメモリ等の記憶装置から構成される。記憶部１２は、制御部１１が各種処理を行うために使用する各種プログラムおよびデータ、制御部１１が各種処理を行うことにより生成又は取得した各種データを記憶する。
【００３２】
記憶部１２は、特徴的には、制御プログラム１２ａおよび制御情報１２ｂを記憶する。制御プログラム１２ａは、電子スイッチ２１を制御する処理（後述のスイッチ制御処理）を行うためのプログラムである。制御情報１２ｂは、図３に示すように、電気機器３０が点灯しているか消灯しているかを判別するための基準と、その基準毎に、操作機器５０からオン命令またはオフ命令を受信したときに電子スイッチ２１を切り替える必要の有無についての情報とを有する。基準には、上述したように、第１電線Ｗ１の電圧Ｖ１および第２電線Ｗ２の電圧Ｖ２の一方がＨｉｇｈで表される場合、その両方がＬｏｗで表される場合が設定される。
【００３３】
制御部１１は、例えば、ＣＰＵ(Central Processing Unit)、ＣＰＵのメインメモリとして機能するＲＡＭ（Random Access Memory）等を備える。なお、制御部１１は、一部がＡＳＩＣ（Application Specific Integrated Circuit）等の専用回路から構成されてもよい。制御部１１は、各種命令やデータを転送するための伝送経路であるシステムバスを介してスイッチ制御装置１０の各部と接続され、スイッチ制御装置１０全体を制御する。
【００３４】
次に図４を参照して、以上のように構成されたスイッチ制御システム１の動作を説明する。例えば、電気機器３０から離れた場所にいるユーザは、操作機器５０の画面を確認し、電気機器３０の電源をオンにする場合はオン命令、当該電源をオフにする場合はオフ命令を選択し、選択した命令をスイッチ制御装置１０に送信するための操作を行う。操作機器５０は、ユーザの操作に従って選択された命令を、ネットワークＮを介してスイッチ制御装置１０に送信する。
【００３５】
一方、スイッチ制御装置１０の制御部１１は、スイッチ制御装置１０の電源がオンになると、記憶部１２に記憶された制御プログラム１２ａを読み出し、以下のスイッチ制御処理を実行する。
【００３６】
制御部１１は、操作機器５０から通信部１３を介してオン命令またはオフ命令を受信したか否かを判別し（ステップＳＰ１，ステップＳＰ２）、何れかの命令を受信するまでは待機状態となる（ステップＳＰ１；ＮＯ，ステップＳＰ２；ＮＯ）。
【００３７】
制御部１１は、オン命令を受信したと判別した場合に（ステップＳＰ１；ＹＥＳ）、制御情報１２ｂを参照し、第１測定部１４において測定される第１電線Ｗ１の電圧Ｖ１がＨｉｇｈで表されるか否かを判別する（ステップＳＰ３）。
【００３８】
制御部１１は、第１電線Ｗ１の電圧Ｖ１がＨｉｇｈで表されると判別した場合（ステップＳＰ３；ＹＥＳ）、電子スイッチ２１を切り替える制御を行う（ステップＳＰ４）。つまり、この場合は、制御情報１２ｂの基準に設定された、第１電線Ｗ１の電圧Ｖ１および第２電線Ｗ２の電圧Ｖ２の一方がＨｉｇｈで表される場合に該当し、電気機器３０は消灯している。よって、制御部１１は、電子スイッチ駆動部１６から電子スイッチ２１に制御信号を供給することにより、電子スイッチ２１を切り替える制御を行う。なお、この場合の切り替え前の電子スイッチ２１および手動スイッチ２２の状態は、図２に示したパターン２に該当する。よって、電子スイッチ２１が切り替えられると電子スイッチ２１の第１切替接点２１ａがオン状態、第２切替接点２１ｂがオフ状態になり、電気機器３０は点灯する（図２に示したパターン４の状態になる）。その後、制御部１１の処理は上記ステップＳＰ１に戻る。
【００３９】
ステップＳＰ３において第１電線Ｗ１の電圧Ｖ１がＬｏｗで表されると判別された場合（ステップＳＰ３；ＮＯ）、制御部１１は、第２測定部１５において測定される第２電線Ｗ２の電圧Ｖ２がＨｉｇｈで表されるか否かを判別する（ステップＳＰ５）。
【００４０】
制御部１１は、第２電線Ｗ２の電圧Ｖ２がＨｉｇｈで表されると判別した場合（ステップＳＰ５；ＹＥＳ）、電子スイッチ２１を切り替える制御を行う（ステップＳＰ６）。つまり、この場合は、制御情報１２ｂの基準に設定された、第１電線Ｗ１の電圧Ｖ１および第２電線Ｗ２の電圧Ｖ２の一方がＨｉｇｈで表される場合に該当する。よって、制御部１１は、電子スイッチ駆動部１６から電子スイッチ２１に制御信号を供給することにより、電子スイッチ２１を切り替える制御を行う。なお、この場合の切り替え前の電子スイッチ２１および手動スイッチ２２の状態は、図２に示したパターン１に該当する。よって、電子スイッチ２１が切り替えられると電子スイッチ２１の第１切替接点２１ａがオフ状態、第２切替接点２１ｂがオン状態になり、電気機器３０は点灯する（図２に示したパターン３の状態になる）。その後、制御部１１の処理は上記ステップＳＰ１に戻る。
【００４１】
ステップＳＰ５において第２電線Ｗ２の電圧Ｖ２がＬｏｗで表されると判別された場合（ステップＳＰ５；ＮＯ）、制御部１１は、電子スイッチ２１を切り替える制御を行わずにステップＳＰ１に戻る。つまり、この場合は、制御情報１２ｂの基準に設定された、第１電線Ｗ１の電圧Ｖ１および第２電線Ｗ２の電圧Ｖ２の両方がＬｏｗで表される場合に該当し、電気機器３０は既に点灯している。よって、制御部１１は、電子スイッチ２１を切り替える制御を行わない。なお、このときの電子スイッチ２１および手動スイッチ２２は、図２に示したパターン３または４に該当する。
【００４２】
ステップＳＰ２においてオフ命令を受信したと判別された場合（ステップＳＰ２；ＹＥＳ）、制御部１１は、制御情報１２ｂを参照し、第１電線Ｗ１の電圧Ｖ１がＬｏｗで表されるか否かを判別する（ステップＳＰ７）。
【００４３】
制御部１１は、第１電線Ｗ１の電圧Ｖ１がＬｏｗで表されると判別した場合（ステップＳＰ７；ＹＥＳ）、第２電線Ｗ２の電圧Ｖ２がＬｏｗで表されるか否かを判別する（ステップＳＰ８）。
【００４４】
制御部１１は、第１電線Ｗ１の電圧Ｖ２がＬｏｗで表されると判別した場合（ステップＳＰ８；ＹＥＳ）、電子スイッチ２１を切り替える制御を行う（ステップＳＰ９）。つまり、この場合は、制御情報１２ｂの基準に設定された、第１電線Ｗ１の電圧Ｖ１および第２電線Ｗ２の電圧Ｖ２の両方がＬｏｗで表される場合に該当し、電気機器３０は点灯している。よって、制御部１１は、電子スイッチ駆動部１６から電子スイッチ２１に制御信号を供給することにより、電子スイッチ２１を切り替える制御を行う。なお、この場合の切り替え前の電子スイッチ２１および手動スイッチ２２の状態は、図２に示したパターン３または４に該当する。よって、電子スイッチ２１が切り替えられると電気機器３０は消灯する（図２に示したパターン１または２の状態になる）。その後、制御部１１の処理は上記ステップＳＰ１に戻る。
【００４５】
ステップＳＰ７において第１電線Ｗ１の電圧Ｖ１がＨｉｇｈで表されると判別された場合（ステップＳＰ７；ＮＯ）、または、ステップＳＰ８において第２電線Ｗ２の電圧Ｖ２がＨｉｇｈで表されると判別された場合（ステップＳＰ８；ＮＯ）、制御部１１は、電子スイッチ２１を切り替える制御を行わずにステップＳＰ１に戻る。つまり、この場合は、制御情報１２ｂの基準に設定された、第１電線Ｗ１の電圧Ｖ１および第２電線Ｗ２の電圧Ｖ２の一方がＨｉｇｈで表される場合に該当し、電気機器３０は既に消灯している。よって、制御部１１は、電子スイッチ２１を切り替える制御を行わない。なお、このときの電子スイッチ２１および手動スイッチ２２は、図２に示したパターン１または２に該当する。
【００４６】
このようにして制御部１１は、スイッチ制御装置１０の電源がオフまたはユーザが処理を中断する操作を行うまで、ステップＳＰ１〜ＳＰ９から構成されるスイッチ制御処理を繰り返し行う。
【００４７】
以上説明した実施形態によれば、操作機器５０は、電気機器３０の電源をオンにするオン命令または当該電源をオフにするオフ命令をスイッチ制御装置１０に送信する。一方、スイッチ制御装置１０は、制御対象である電子スイッチ２１、および手動スイッチ２２を相互に接続する第１電線Ｗ１の電圧Ｖ１、第２電線Ｗ２の電圧Ｖ２を基に電気機器３０の電源の状態を特定する。これにより、スイッチ制御装置１０は、操作機器５０からオン命令またはオフ命令を受信した場合に必要に応じて電子スイッチ２１を切り替えることができるので、ユーザが電気機器３０の電源の状態を確認できない場合でも当該電源を適切に切り替えることができる。
【００４８】
なお、スイッチ制御システム１は、電子スイッチ２１および手動スイッチ２２以外に手動スイッチをさらに備えても良い。この場合、電気機器３０の電源回路には、３以上のスイッチが電気機器３０と直列に接続され、両側に設けられるスイッチには３路スイッチ、その間に設けられるスイッチには４路スイッチが採用される。例えば、電気機器３０の電源回路において、３路スイッチから構成される２つの手動スイッチ２２の間に、４路スイッチから構成される電子スイッチ２１を接続しても良い。これにより、複数の場所から共通の電気機器３０の電源を切り替えることができる。
【００４９】
また、スイッチ制御装置１０は、第１電線Ｗ１の電圧Ｖ１および第２電線Ｗ２の電圧Ｖ２を、電子スイッチ２１に接続された電線以外から測定しても良い。例えば、電子スイッチ２１および手動スイッチ２２の間に、他の手動スイッチ２２を電気機器３０と直列に接続した場合、スイッチ制御装置１０は、一対の手動スイッチ２２を相互に接続する第１電線Ｗ１の電圧Ｖ１と、第２電線Ｗ２の電圧Ｖ２とを測定しても良い。この場合も、スイッチ制御装置１０は、第１電線Ｗ１の電圧Ｖ１、第２電線Ｗ２の電圧Ｖ２を基に電気機器３０の電源の状態を特定でき、操作機器５０からオン命令またはオフ命令を受信した場合に必要に応じて電子スイッチ２１を切り替えることができる。
【００５０】
また、操作機器５０は、例えば、Ｂｌｕｅｔｏｏｔｈ（登録商標）通信や赤外線通信等の近距離通信を行ってスイッチ制御装置１０にオン命令またはオフ命令を送信しても良い。
【００５１】
また、本発明に係るスイッチ制御装置は、一般的なパーソナルコンピュータ（ＰＣ）等により実現できる。この場合、上記実施形態で説明した動作を実行するためのプログラムをＰＣ等にインストールし、このプログラムをＰＣ等が実行することにより本発明に係るスイッチ制御装置として機能させることができる。このようなプログラムは、例えば、持ち運び可能な記録媒体等に記録されて配布される。持ち運び可能な記録媒体には、例えば、ＣＤ−ＲＯＭ、ＤＶＤ−ＲＯＭ、ＢＤ−ＲＯＭ、ＭＯ等がある。
【００５２】
この他、ＰＣ等にプログラムを提供する方法は任意である。例えば、プログラムを通信回線の掲示板（ＢＢＳ）にアップロードし、通信回線を介してＰＣ等に配信してもよい。また、プログラムは、プログラムを表す信号により搬送波を変調した変調波により伝送され、この変調波を受信した装置が変調波を復調してプログラムを復元するようにしてもよい。そして、ＰＣ等は、このプログラムを起動して、ＯＳの制御のもと、他のアプリケーションと同様に実行する。これにより、ＰＣ等は、本発明に係るスイッチ制御装置として機能する。
【００５３】
その他、本発明は、上記実施形態の説明および図面によって限定されるものではなく、上記実施形態および図面に適宜変更等を加えることは可能である。
【符号の説明】
【００５４】
１  スイッチ制御システム、１０  スイッチ制御装置、１１  制御部、１２  記憶部、１２ａ  制御プログラム、１２ｂ  制御情報、１３  通信部、１４  第１測定部、１５  第２測定部、１６  電子スイッチ駆動部、２１  電子スイッチ、２１ａ  第１切替接点、２１ｂ  第２切替接点、２１ｃ  共通接点、２２  手動スイッチ、２２ａ  第１切替接点、２２ｂ  第２切替接点、２２ｃ  共通接点、３０  電気機器、４０  商用電源、５０  操作機器、Ｗ１  第１電線、Ｗ２  第２電線、Ｎ  ネットワーク
【図１】
2014227162.tif 000003
【図２】
2014227162.tif 000004
【図３】
2014227162.tif 000005
【図４】
2014227162.tif 000006
【手続補正書】
【提出日】平成26年8月8日(2014.8.8)
【手続補正１】
【補正対象書類名】明細書
【補正対象項目名】０００７
【補正方法】変更
【補正の内容】
【０００７】
本発明に係るスイッチ制御装置は、
少なくとも一の電子スイッチを含み、共通の電気機器の電源のオンオフを個別に切り替える複数のスイッチのうち、２つのスイッチが相互に接続された第１電線の電圧を測定する第１測定手段と、
前記２つのスイッチが相互に接続された第２電線の電圧を測定する第２測定手段と、
外部操作機器から前記電源をオンまたはオフに切り替える命令を受信した場合に、前記命令に従って前記電源がオンまたはオフになるように、前記第１電線および前記第２電線の少なくとも何れかの電圧に基づいて、前記複数のスイッチに含まれた一の電子スイッチを制御する制御手段と、を備える、
ことを特徴とする。
【手続補正２】
【補正対象書類名】特許請求の範囲
【補正対象項目名】全文
【補正方法】変更
【補正の内容】
【特許請求の範囲】
【請求項１】
少なくとも一の電子スイッチを含み、共通の電気機器の電源のオンオフを個別に切り替える複数のスイッチのうち、２つのスイッチが相互に接続された第１電線の電圧を測定する第１測定手段と、
前記２つのスイッチが相互に接続された第２電線の電圧を測定する第２測定手段と、
外部操作機器から前記電源をオンまたはオフに切り替える命令を受信した場合に、前記命令に従って前記電源がオンまたはオフになるように、前記第１電線および前記第２電線の少なくとも何れかの電圧に基づいて、前記複数のスイッチに含まれた一の電子スイッチを制御する制御手段と、を備える、
ことを特徴とするスイッチ制御装置。
【請求項２】
前記制御手段は、前記外部操作機器から前記電源をオンに切り替える命令を受信した場合に、前記第１電線および前記第２電線の電圧の何れかが電源電圧を表すときに前記電子スイッチを切り替える制御を行い、前記第１電線および前記第２電線の電圧の両方が接地電圧を表すときに前記制御を行わない、
ことを特徴とする請求項１に記載のスイッチ制御装置。
【請求項３】
前記制御手段は、前記外部操作機器から前記電源をオフに切り替える命令を受信した場合に、前記第１電線および前記第２電線の電圧の両方が接地電圧を表すときに前記電子スイッチを切り替える制御を行い、前記第１電線および前記第２電線の電圧の何れかが電源電圧を表すときに前記制御を行わない、
ことを特徴とする請求項１または２に記載のスイッチ制御装置。
【請求項４】
前記制御手段が制御する一の電子スイッチは、前記２つのスイッチのうちの何れかである、
ことを特徴とする請求項１乃至３の何れか１項に記載のスイッチ制御装置。
【請求項５】
前記制御手段が制御する一の電子スイッチは、前記２つのスイッチの何れでもない、
ことを特徴とする請求項１乃至３の何れか１項に記載のスイッチ制御装置。
【請求項６】
スイッチ制御装置と、電気機器の電源をオンまたはオフに切り替える命令を前記スイッチ制御装置に送信する外部操作機器とを備えた電気機器制御システムであって、
前記スイッチ制御装置は、
少なくとも一の電子スイッチを含み、共通の電気機器の電源のオンオフを個別に切り替える複数のスイッチのうち、２つのスイッチが相互に接続された第１電線の電圧を測定する第１測定手段と、
前記２つのスイッチが相互に接続された第２電線の電圧を測定する第２測定手段と、
前記外部操作機器から前記電源をオンまたはオフに切り替える命令を受信した場合に、前記命令に従って前記電源がオンまたはオフになるように、前記第１電線および前記第２電線の少なくとも何れかの電圧に基づいて、前記複数のスイッチに含まれた一の電子スイッチを制御する制御手段と、を備える、
ことを特徴とするスイッチ制御システム。
【請求項７】
少なくとも一の電子スイッチを含み、共通の電気機器の電源のオンオフを個別に切り替える複数のスイッチのうち、２つのスイッチが相互に接続された第１電線の電圧を測定する第１測定ステップと、
前記２つのスイッチが相互に接続された第２電線の電圧を測定する第２測定ステップと、
外部操作機器から前記電源をオンまたはオフに切り替える命令を受信した場合に、前記命令に従って前記電源がオンまたはオフになるように、前記第１電線および前記第２電線の少なくとも何れかの電圧に基づいて、前記複数のスイッチに含まれた一の電子スイッチを制御する制御ステップと、を有する、
ことを特徴とするスイッチ制御方法。
【請求項８】
コンピュータを、
少なくとも一の電子スイッチを含み、共通の電気機器の電源のオンオフを個別に切り替える複数のスイッチのうち、２つのスイッチが相互に接続された第１電線の電圧を測定する第１測定手段、
前記２つのスイッチが相互に接続された第２電線の電圧を測定する第２測定手段、
外部操作機器から前記電源をオンまたはオフに切り替える命令を受信した場合に、前記命令に従って前記電源がオンまたはオフになるように、前記第１電線および前記第２電線の少なくとも何れかの電圧に基づいて、前記複数のスイッチに含まれた一の電子スイッチを制御する制御手段、として機能させる、
ことを特徴とするプログラム。